【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
通信接続手段を介して演奏情報を生成する演奏操作装置と接続されることにより電子楽器システムを構成する電子楽器本体装置であって、
前記通信接続手段を介して前記演奏操作装置と接続されたことを検出する接続検出手段と、
前記接続検出手段により接続されたことが検出された演奏操作装置から、当該演奏操作装置の種類を表わす装置情報を取得する装置情報取得手段と、
前記装置情報取得手段により取得された装置情報に基づいて音色を設定する楽音設定手段と、
前記接続検出手段により接続されたことが検出された演奏操作装置から取得される演奏情報に応じて、前記楽音設定手段により設定された音色の楽音信号を生成する楽音生成手段と
を具備することを特徴とする電子楽器本体装置。
【請求項２】
通信接続手段を介して演奏情報を生成する演奏操作装置と接続されることにより電子楽器システムを構成する電子楽器本体装置であって、
前記通信接続手段を介して前記演奏操作装置と接続されたことを検出する接続検出手段と、
前記接続検出手段により接続されたことが検出された演奏操作装置から、当該演奏操作装置の種類を表わす装置情報を取得する装置情報取得手段と、
前記装置情報取得手段により取得された装置情報に応じた複数の音色を抽出する音色抽出手段と、
前記音色抽出手段により抽出された複数の音色から選択された音色を設定する楽音設定手段と、
前記接続検出手段により接続されたことが検出された演奏操作装置から取得される演奏情報に応じて、前記楽音設定手段により設定された音色の楽音信号を生成する楽音生成手段と
を具備することを特徴とする電子楽器本体装置。
【請求項３】
前記楽音生成手段は、複数の演奏操作装置から取得される演奏情報に応じて、対応する複数音色の楽音信号を生成することができ、
前記接続検出手段は、前記通信接続手段を介して複数の演奏操作装置と接続されたことを検出し、
前記装置情報取得手段は、これら演奏操作装置から装置情報を取得し、
前記楽音設定手段は、各演奏操作装置から取得された装置情報に対応する音色を、当該各装置情報に対応する演奏操作装置からの演奏情報に応じて前記楽音生成手段により生成される各楽音信号に設定する
ことを特徴とする請求項１又は２に記載の電子楽器本体装置。
【請求項４】
前記演奏操作装置には、補助演奏情報を生成する補助操作装置を接続することができ、
前記接続検出手段は、前記通信接続手段を介して前記演奏操作装置と接続されたこと及び当該演奏操作装置に補助操作装置が接続されていることを検出し、
前記装置情報取得手段は、当該演奏操作装置及び補助操作装置から装置情報を取得し、
前記楽音設定手段は、当該演奏操作装置から取得される演奏情報に応じて前記楽音生成手段により生成される楽音信号について、当該補助操作装置から取得される補助演奏情報をマージすべきことを設定する
ことを特徴とする請求項１〜３の何れか１項に記載の電子楽器本体装置。
【請求項５】
通信接続手段を介して演奏情報を生成する演奏操作装置と接続されることにより電子楽器システムを構成する電子楽器本体装置として機能するコンピュータに、
前記通信接続手段を介して前記演奏操作装置と接続されたことを検出する接続検出ステップと、
前記接続検出ステップで接続されたことが検出された演奏操作装置から、当該演奏操作装置の種類を表わす装置情報を取得する装置情報取得ステップと、
前記装置情報取得ステップで取得された装置情報に基づいて音色を設定する楽音設定ステップと、
前記接続検出ステップで接続されたことが検出された演奏操作装置から取得される演奏情報に応じて、前記楽音設定ステップで設定された音色の楽音信号を生成する楽音生成ステップと
から成る手順を実行させる電子楽器本体装置のためのプログラム。
【請求項６】
通信接続手段を介して演奏情報を生成する演奏操作装置と接続されることにより電子楽器システムを構成する電子楽器本体装置として機能するコンピュータに、
前記通信接続手段を介して前記演奏操作装置と接続されたことを検出する接続検出ステップと、
前記接続検出ステップで接続されたことが検出された演奏操作装置から、当該演奏操作装置の種類を表わす装置情報を取得する装置情報取得ステップと、
前記装置情報取得ステップで取得された装置情報に応じた複数の音色を抽出する音色抽出ステップと、
前記音色抽出ステップで抽出された複数の音色から選択された音色を設定する楽音設定ステップと、
前記接続検出ステップで接続されたことが検出された演奏操作装置から取得される演奏情報に応じて、前記楽音設定ステップで設定された音色の楽音信号を生成する楽音生成ステップと
から成る手順を実行させる電子楽器本体装置のためのプログラム。
【手続補正２】
【補正対象書類名】明細書
【補正対象項目名】０００５
【補正方法】変更
【補正の内容】
【０００５】
この発明の第１の特徴に従うと、通信接続手段（ＣＢ，ＵＨ）を介して演奏情報を生成する演奏操作装置（ＥＭｂ：ＥＭｂ１，ＥＭｂ２，…）と接続されることにより電子楽器システムを構成する電子楽器本体装置（ＥＭａ）であって、通信接続手段（ＣＢ，ＵＨ）を介して演奏操作装置（ＥＭｂ）と接続されたことを検出する接続検出手段（Ａ２〜Ａ４，Ａ６）と、接続検出手段（Ａ２〜Ａ４，Ａ６）により接続されたことが検出された演奏操作装置（ＥＭｂ）から、当該演奏操作装置の種類を表わす装置情報を取得する装置情報取得手段（Ａ５）と、装置情報取得手段（Ａ５）により取得された装置情報に基づいて音色を設定する楽音設定手段（Ａ７〜Ａ１０，Ａ１５〜Ａ１６）と、接続検出手段（Ａ２〜Ａ４，Ａ６）により接続されたことが検出された演奏操作装置（ＥＭｂ）から取得される演奏情報に応じて、楽音設定手段（Ａ７〜Ａ１０，Ａ１５〜Ａ１６）により設定された音色の楽音信号を生成する楽音生成手段（ＴＧ；Ａ１１〜Ａ１４）とを具備する電子楽器本体装置（ＥＭａ）〔請求項１〕、並びに、通信接続手段（ＣＢ，ＵＨ）を介して演奏情報を生成する演奏操作装置（ＥＭｂ：ＥＭｂ１，ＥＭｂ２，…）と接続されることにより電子楽器システムを構成する電子楽器本体装置として機能するコンピュータ（ＥＭａ）に、通信接続手段（ＣＢ，ＵＨ）を介して演奏操作装置（ＥＭｂ）と接続されたことを検出する接続検出ステップ（Ａ２〜Ａ４，Ａ６）と、接続検出ステップ（Ａ２〜Ａ４，Ａ６）で接続されたことが検出された演奏操作装置（ＥＭｂ）から、当該演奏操作装置の種類を表わす装置情報を取得する装置情報取得ステップ（Ａ５）と、装置情報取得ステップ（Ａ５）で取得された装置情報に基づいて音色を設定する楽音設定ステップ（Ａ７〜Ａ１０，Ａ１５〜Ａ１６）と、接続検出ステップ（Ａ２〜Ａ４，Ａ６）で接続されたことが検出された演奏操作装置（ＥＭｂ）から取得される演奏情報に応じて、楽音設定ステップ（Ａ７〜Ａ１０，Ａ１５〜Ａ１６）で設定された音色の楽音信号を生成する楽音生成ステップ（Ａ１１〜Ａ１４）とから成る手順を実行させる電子楽器本体装置のためのプログラム〔請求項５〕が提供される。なお、括弧書きは実施例の参照記号、用語、箇所等を表わし、以下においても同様である。
【手続補正３】
【補正対象書類名】明細書
【補正対象項目名】０００６
【補正方法】変更
【補正の内容】
【０００６】
この発明の第２の特徴に従うと、通信接続手段（ＣＢ，ＵＨ）を介して演奏情報を生成する演奏操作装置（ＥＭｂ：ＥＭｂ１，ＥＭｂ２，…）と接続されることにより電子楽器システムを構成する電子楽器本体装置（ＥＭａ）であって、通信接続手段（ＣＢ，ＵＨ）を介して演奏操作装置（ＥＭｂ）と接続されたことを検出する接続検出手段（Ａ２〜Ａ４，Ａ６）と、接続検出手段（Ａ２〜Ａ４，Ａ６）により接続されたことが検出された演奏操作装置（ＥＭｂ）から、当該演奏操作装置の種類を表わす装置情報を取得する装置情報取得手段（Ａ５）と、装置情報取得手段（Ａ５）により取得された装置情報に応じた複数の音色（「音色選択肢リスト」）を抽出する音色抽出手段（Ａ７〜Ａ８）と、音色抽出手段（Ａ７〜Ａ８）により抽出された複数の音色（「音色選択肢リスト」）から選択された音色を設定する楽音設定手段（Ａ１０，Ａ１５〜Ａ１６）と、接続検出手段（Ａ２〜Ａ４，Ａ６）により接続されたことが検出された演奏操作装置（ＥＭｂ）から取得される演奏情報に応じて、楽音設定手段（Ａ１０，Ａ１５〜Ａ１６）により設定された音色の楽音信号を生成する楽音生成手段（ＴＧ；Ａ１１〜Ａ１４）とを具備する電子楽器本体装置（ＥＭａ）〔請求項２〕、並びに、通信接続手段（ＣＢ，ＵＨ）を介して演奏情報を生成する演奏操作装置（ＥＭｂ：ＥＭｂ１，ＥＭｂ２，…）と接続されることにより電子楽器システムを構成する電子楽器本体装置として機能するコンピュータ（ＥＭａ）に、通信接続手段（ＣＢ，ＵＨ）を介して演奏操作装置（ＥＭｂ）と接続されたことを検出する接続検出ステップ（Ａ２〜Ａ４，Ａ６）と、接続検出ステップ（Ａ２〜Ａ４，Ａ６）で接続されたことが検出された演奏操作装置（ＥＭｂ）から、当該演奏操作装置の種類を表わす装置情報を取得する装置情報取得ステップ（Ａ５）と、装置情報取得ステップ（Ａ５）で取得された装置情報に応じた複数の音色（「音色選択肢リスト」）を抽出する音色抽出ステップ（Ａ７〜Ａ８）と、音色抽出ステップ（Ａ７〜Ａ８）で抽出された複数の音色（「音色選択肢リスト」）から選択された音色を設定する楽音設定ステップ（Ａ１０，Ａ１５〜Ａ１６）と、接続検出ステップ（Ａ２〜Ａ４，Ａ６）で接続されたことが検出された演奏操作装置（ＥＭｂ）から取得される演奏情報に応じて、楽音設定ステップ（Ａ１０，Ａ１５〜Ａ１６）で設定された音色の楽音信号を生成する楽音生成ステップ（Ａ１１〜Ａ１４）とから成る手順を実行させる電子楽器本体装置のためのプログラム〔請求項６〕が提供される。
【手続補正４】
【補正対象書類名】明細書
【補正対象項目名】０００７
【補正方法】変更
【補正の内容】
【０００７】
この発明による電子楽器本体装置において、楽音生成手段（ＴＧ；Ａ１１〜Ａ１４）は、複数の演奏操作装置（ＥＭｂ：ＥＭｂ１，ＥＭｂ２，…）から取得される演奏情報に応じて、対応する複数音色の楽音信号を生成することができ、接続検出手段（Ａ２〜Ａ４，Ａ６）は、通信接続手段（ＣＢ，ＵＨ）を介して複数の演奏操作装置（ＥＭｂ）と接続されたことを検出し、装置情報取得手段（Ａ５）は、これら演奏操作装置（ＥＭｂ）から装置情報を取得し、楽音設定手段（Ａ７〜Ａ１０，Ａ１５〜Ａ１６）は、各演奏操作装置（ＥＭｂ）から取得された装置情報に対応する音色を、当該各装置情報に対応する演奏操作装置（ＥＭｂ）からの演奏情報に応じて楽音生成手段（ＴＧ；Ａ１１〜Ａ１４）により生成される各楽音信号に設定する〔請求項３〕ように構成することができる。
【手続補正５】
【補正対象書類名】明細書
【補正対象項目名】０００８
【補正方法】変更
【補正の内容】
【０００８】
また、この発明による電子楽器本体装置において、演奏操作装置（ＥＭｂ：ＥＭｂ１，ＥＭｂ２，…）には、補助演奏情報を生成する補助操作装置（ＥＭｃ）を接続することができ、接続検出手段（Ａ２〜Ａ４，Ａ６）は、通信接続手段（ＣＢ，ＵＨ）を介して演奏操作装置（ＥＭｂ）と接続されたこと及び当該演奏操作装置（ＥＭｂ）に補助操作装置（ＥＭｃ）が接続されていることを検出し、装置情報取得手段（Ａ５）は、当該演奏操作装置（ＥＭｂ）及び補助操作装置（ＥＭｃ）から装置情報を取得し、楽音設定手段（Ａ７〜Ａ１０，Ａ１５〜Ａ１６）は、当該演奏操作装置（ＥＭｂ）から取得される演奏情報に応じて楽音生成手段（ＴＧ；Ａ１１〜Ａ１４）により生成される（Ａ１３）楽音信号について、当該補助操作装置（ＥＭｃ）から取得される補助演奏情報をマージすべきことを設定する（Ａ１０）〔請求項４〕ように構成することができる。
【手続補正６】
【補正対象書類名】明細書
【補正対象項目名】０００９
【補正方法】変更
【補正の内容】
【０００９】
この発明による電子楽器本体装置（ＥＭａ）は、楽音信号生成機能（音源機能ＴＧ）を有し、ＵＳＢなどの通信接続手段（ＣＢ，ＵＨ）を介して演奏情報生成機能を有する演奏操作装置（ＥＭｂ：ＥＭｂ１，ＥＭｂ２，…）と接続され、これにより、１つの楽器として機能する電子楽器システムを構築することができる。演奏操作装置（ＥＭｂ）には、例えば、ピアノ型やオルガン型などの鍵盤装置、ギター型や管楽器型などの他タイプの演奏操作器、等々、種々の種類があり、演奏操作装置（ＥＭｂ）は、自身の演奏操作装置の種類を表わす装置情報を保持している。これに対して、この電子楽器本体装置（ＥＭａ）は、楽音信号生成機能（ＴＧ）により、通信接続手段（ＣＢ，ＵＨ）を介して接続された演奏操作装置（ＥＭｂ）からの演奏情報に応じて楽音信号を生成することができ、楽音信号生成機能（ＴＧ）により生成可能な楽音信号の音色を表わす音色情報を演奏操作装置の種類に対応付けて保持している。
【手続補正７】
【補正対象書類名】明細書
【補正対象項目名】００１０
【補正方法】変更
【補正の内容】
【００１０】
この発明の第１の特徴によると（請求項１，５）、この電子楽器本体装置（ＥＭａ）は、通信接続手段（ＣＢ，ＵＨ）を介して演奏操作装置（ＥＭｂ）と接続されると、当該演奏操作装置（ＥＭｂ）との接続を検出し（Ａ２〜Ａ４）、その種類を表わす装置情報を取得する（Ａ５）。そして、取得された装置情報に基づいて、当該演奏操作装置（ＥＭｂ）からの演奏情報に基づき音色を設定し（Ａ７〜Ａ９，Ａ１５〜Ａ１６）、当該演奏操作装置（ＥＭｂ）からの演奏情報に応じて、設定された音色の楽音信号を生成する（ＴＧ；Ａ１１〜Ａ１４）。つまり、演奏操作装置（ＥＭｂ）がこの電子楽器本体装置（ＥＭａ）に接続されると、この電子楽器本体装置（ＥＭａ）は、演奏操作装置（ＥＭｂ）の種類を検知し、それによって、楽音信号生成機能（ＴＧ）により生成すべき楽音信号の音色を決定する。従って、この発明によれば、音源機能を有する電子楽器本体装置に通信接続手段で演奏操作装置を接続した場合に、複雑な設定操作をしなくても、電子楽器本体装置に接続された演奏操作装置の種類に応じて音色を自動的に設定することができる。
【手続補正８】
【補正対象書類名】明細書
【補正対象項目名】００１１
【補正方法】変更
【補正の内容】
【００１１】
この発明の第２の特徴によると（請求項２，６）、この電子楽器本体装置（ＥＭａ）は、通信接続手段（ＣＢ，ＵＨ）を介して演奏操作装置（ＥＭｂ）と接続されたことを検出して（Ａ２〜Ａ４）、その種類を表わす装置情報を取得すると（Ａ５）、楽音信号生成機能（ＴＧ）により生成可能な楽音信号の音色から、取得された装置情報に応じた複数の音色（「音色選択肢リスト」）を抽出し（Ａ７〜Ａ８）、抽出された複数の音色（「音色選択肢リスト」）から選択された音色を、当該演奏操作装置（ＥＭｂ）からの演奏情報に基づき楽音信号生成機能（ＴＧ）により生成される楽音信号に設定する（Ａ１５〜Ａ１６）。そして、当該演奏操作装置（ＥＭｂ）からの演奏情報に応じて、設定された音色の楽音信号を生成する（ＴＧ；Ａ１１〜Ａ１４）。従って、この発明によれば、音源機能を有する電子楽器本体装置に通信接続手段で演奏操作装置を接続した場合に、複雑な設定操作をしなくても、電子楽器本体装置に接続された演奏操作装置の種類に適した複数の音色を制限し、制限された音色の中から最適の音色を選択的に設定することができる。
【手続補正９】
【補正対象書類名】明細書
【補正対象項目名】００１２
【補正方法】変更
【補正の内容】
【００１２】
この発明による電子楽器本体装置では、楽音信号生成機能（ＴＧ）により、複数の演奏操作装置（ＥＭｂ：ＥＭｂ１，ＥＭｂ２，…）から取得される演奏情報に応じて、対応する複数音色の楽音信号を生成することができる（請求項３）。この場合、この電子楽器本体装置（ＥＭａ）は、通信接続手段（ＣＢ，ＵＨ）を介して複数の演奏操作装置（ＥＭｂ）と接続されたことを検出し（Ａ２〜Ａ４）、これら演奏操作装置（ＥＭｂ）から装置情報を取得し（Ａ５）、各装置情報に対応する音色を、当該各装置情報を持つ演奏操作装置（ＥＭｂ）からの演奏情報に応じて生成される各楽音信号に設定する（Ａ７〜Ａ１０，Ａ１６）。従って、この発明によれば、複数のユーザがそれぞれの演奏操作装置を同時に電子楽器本体装置に接続して、簡単に、それぞれの音色設定で合奏を楽しむことができる。
【手続補正１０】
【補正対象書類名】明細書
【補正対象項目名】００１３
【補正方法】変更
【補正の内容】
【００１３】
この発明による電子楽器本体装置では、演奏操作装置（ＥＭｂ：ＥＭｂ１，ＥＭｂ２，…）には、さらに、補助演奏情報を生成する補助操作装置（ＥＭｃ）を接続することができる（請求項４）。この場合、この電子楽器本体装置（ＥＭａ）は、演奏操作装置（ＥＭｂ）を介して更に補助操作装置（ＥＭｃ）に接続されていることを検出し（Ａ２〜Ａ４，Ａ６）、当該演奏操作装置（ＥＭｂ）及び補助操作装置（ＥＭｃ）から装置情報を取得し（Ａ５）、当該演奏操作装置（ＥＭｂ）から取得される演奏情報に応じて生成される（Ａ１３）楽音信号について、当該補助操作装置（ＥＭｃ）から取得される補助演奏情報をマージすべきことを設定する（Ａ１０）。従って、この発明によれば、演奏操作装置に従属する補助操作装置の接続経路をも認識し、演奏操作装置からの演奏情報に対応して生成される楽音信号を、当該補助操作装置に接続された補助操作装置からの補助演奏情報に基づいて制御するように自動的に設定することができる。